(57)【特許請求の範囲】
【請求項１】
開閉可能な上部フレームと下部フレームとを有する本体部の内部に搬送されるシート状壁装材の裏面に糊を塗布する壁紙糊付機において、
前記上部フレームの内部に設けられ、前記下部フレームのほぼ中央部に設けられた糊付けロールとその下流位置に設けられた均しロールとの中間位置で、搬送される壁装材を上部から押える駆動ロールと、
前記上部フレームに設けられ、前記駆動ロールに対して駆動力を伝達する駆動ギアと、
前記下部フレームに設けられ、前記駆動ギアと連結されて駆動力を伝達する他のギアと、
前記上部フレームと下部フレームとを閉じた状態で前記駆動ギアと他のギアとが正常に噛み合う位置に前記駆動ギアを保持すると共に、この正常噛み合い位置から上方の移動を許容するように前記駆動ギアを保持する保持手段と、
前記保持手段に保持された駆動ギアが前記保持手段の可動範囲内で前記正常噛み合い位置に位置するように付勢する付勢手段とを備え、
前記保持手段は、前記上部フレームの側面部に設けられた前記駆動ギアの駆動軸の軸受部から構成されており、
該軸受部は、前記上部フレームの開閉移動方向に長さを有する長穴と、その長穴内を摺動すると共に前記駆動軸を回動可能に保持する支持部材とから構成され、
前記長穴の下端位置に軸受部が位置する状態が前記駆動ギアと他のギアとの正常かみ合い位置となるように夫々の位置関係が定められていることを特徴とする壁紙糊付機。
【請求項２】
前記駆動ロールと前記駆動ギアとが同じ駆動軸に軸支され、
前記付勢手段は、この軸受部において前記支持部材に直接当接して付勢し、付勢力を変更することができるバネ部材を備えていることを特徴とする請求項１記載の壁紙糊付機。
【請求項３】
前記駆動ギアは、前記糊付けロールと同軸に軸支される糊付けギアと、前記均しロールと同軸に軸支される均しギアとの双方に連結されるものであることを特徴とする請求項２記載の壁紙糊付機。
【発明の詳細な説明】
【０００１】
【発明の属する技術分野】
本発明は、例えば屋内の壁面にシート状壁装材を塗布するに際して長尺の壁装材の裏面に糊を連続的に塗布する壁紙糊付機に関するものである。
【０００２】
【従来の技術】
図２は、後部にスリッタ１を取り付けた従来の一般的な自動壁紙糊付機２０の後面側の概略構成図であり、図３は、図２の糊付機の側方からの概略（内部）構成を示す説明図である。図２および図３に示すように、糊付機２０は、本体部２１とその内部に設けられた糊を保持する糊桶２２、複数のロール２３〜２９、並びにコントロールボックス３０および脚部３１から主に構成されている。
【０００３】
本体部２１は、開閉可能な上部フレーム２１ａと下部フレーム２１ｂとを有しており、該本体部２１の後面側でヒンジにより相互回動可能に接続されている。この上部フレーム２１ａ内あるいは下部フレーム２１ｂ内に、複数のロール２３〜２９が組み込まれている。
【０００４】
脚部３１は、本体部２１を所定の高さで支持するとともに、クロス芯棒３３ａを中心にロール状に巻かれた壁装材（クロス）３３のクロス芯棒３３ａを回転可能に支持するクロス受けブラケット３２を該脚部３１の後面側に備えている。
【０００５】
コントロールボックス３０は、内部に駆動モータおよび制御装置（図示せず）を備え、外部前面に操作パネル３０ａを備えて、本体部２１の一方の側面に着脱可能に取り付けられている。そして、駆動モータは、複数のロール２３〜２９のうちの下部フレームに設けられた必要なロールの軸端に取り付けられたギヤと噛合して各ロールが所定の周速比で連動するように駆動する構成となっており、駆動モータの駆動動作は、制御装置によって制御されている。この制御装置には、コントロールボックス３０に設置された操作パネル３０ａの所定の操作により、制御装置に作動指令および作動条件を含む制御情報信号が与えられるようになっている。
【０００６】
なお、複数のロール２３〜２９のうち上部フレーム２１ａ内には、クロス３３を本体部２１内に取り込むための上側ピンチロール２７ａと、搬送されるクロスを上から押えて追従回転する押えロール２８と、クロス３３に送り出し張力を付与する駆動ロール２６等が配設されている。これらのロールのうち必要なものには、軸端に取り付けられた所定の歯車が設けられており、下部フレーム２１ｂのモータと連動する歯車（ギア）と噛合するように配列されている。また、ロールや歯車の軸は、該上部フレーム２１ａのアルミ製等のフレーム側板に穿たれた孔に直接又は固体潤滑リング（図示せず）を介して軸受されている。
【０００７】
一方、下部フレーム２１ｂ内においては、上側ピンチロール２７ａと対面してクロス３３を挟み込んで本体部２１内に取り込むための下側ピンチロール２７ｂと、搬送されるクロスの裏面に糊を塗布する比較的重量の大きな糊付けロール２３と、糊付けロール２３への糊付け量を調整するドクターロール２４と、糊付けロール２３の下流側に位置してクロス２１に塗布された糊を均すための均しロール２５と、糊桶２２内の糊に部分的に浸漬された状態で糊付けロール２４と連動して回転し、該糊付けロール２４まで糊を持ち上げる糊上げロール２９とが、設けられている。それぞれのロールの内必要なものには、所定の軸端に取り付けられた歯車が噛合した状態で配列され、これらのロールや歯車は、下部フレーム２１ｂのアルミ製などのフレーム側板に穿たれた孔に直接又は固体潤滑リング（図示せず）を介して軸受されている。
【０００８】
次に、糊付け作業について説明する。作業者はまず、クロス３３の幅（クロスの搬送方向と直交する方向の幅）を所望の幅寸法にするため余分な幅寸法の耳を切断するために、スリッタ１の上面部に設けられたスケールプレート１６を目視しながら、オーバーカッタとアンダーカッタ（図示せず）を調整して所望のクロス幅に設定する。
【０００９】
その後、作業者は、上部フレーム２１ａを後部にヒンジ部を回動中心として、前側を上方へ持ち上げて本体部２１を開き、クロス３３の先端部を上下フレームの間から本体全部に引き出す。そして、上部フレーム２１ａを閉じて上下フレームの間にクロス３３を挟み込んだ状態とする。
【００１０】
次いで、糊付け初期設定をするために、コントロールボックス３０の操作パネル３０ａを操作して、モータを駆動させ、該モータの駆動に伴って複数のロール２３〜２９およびスリッタ１内に配設されているオーバーカッタ２とアンダーカッタ３およびガイドロール６を回転駆動させる。
【００１１】
そして、クロス３３の先端を所定量引き出して、スリッタ１で余分なクロスの耳を切断しながら、糊付機本体部２１の前面側に垂らし、モータの駆動を停止させる。その後、作業者は、糊付けされていないクロス３３の先端部分を下部フレーム２１ｂに配置されたカッターガイド（図示せず）に沿って切り取り、糊付け初期設定を完了する。
【００１２】
糊付け初期設定が完了した後、作業者は、操作パネル３０ａから所望のクロス長を入力し、モータの駆動によってギヤで連結された本体部の複数のロール２３〜２９およびスリッタ１のオーバーカッタ２、アンダーカッタ３、ガイドロール６等が所定の周速比で回転し、所望のクロス幅にされつつ搬送される。さらに、本体部内の糊上げロール２９によって糊桶２２内の糊が糊付ロール２３に塗布され、該糊付けロール２３に塗布された糊がドクタロール２４で調整され、押えロール２８による押え効果のもとに、搬送されるクロス３３の裏面に糊が塗布される。その後、糊付けされたクロス３３は、ドライブロール２６と均しロール２５とによって適度な張力を与えられた状態で牽引されて本体部２１前面に送り出される。なお、この際に均しロール２５とクロス３３の搬送速度との周速差による糊面の均し作用が与えられる。
【００１３】
そして、所望のクロス長が前面に出てきたらモータの駆動が一旦停止され、該クロス３３をカッターガイドに沿ってカッタで切断するとともに、本体部２１の前面に備えられたトレイ３５上に堆積し、糊付けされたクロス３３を折り畳む。作業者は、この作業を必要な枚数だけ繰り返し行う。
【００１４】
【発明が解決しようとする課題】
このように、壁紙糊付機を使用する作業者は、新たな作業や壁紙を交換する作業の度に、上部フレーム２１ａを開閉する必要があるが、その際に、上部フレームと下部フレームとの連鎖構造においては、接続と切り離しが行われる。
【００１５】
即ち、下部フレーム２１ｂに取り付けられている糊付けロール２３および均しロール２５には、それぞれ同軸の糊付けギア（図示せず）および均しギア（図示せず）が備わっており、モータからの駆動力が伝達されている。それらの駆動力は、上部フレーム２１ａに取り付けられている駆動ロール２６と同軸の駆動ギア（図示せず）にも伝達される。
【００１６】
このため、上部フレーム２１ｂを閉める際には、上部フレームの駆動ギアと、これと歯合する下部フレームの糊付けギア等が、相互にうまくかみ合わせる必要がある。しかし、ギア同士のかみ合わせであり、上部フレームを解放すれば、そこに設けられたギアはフリーになって回動するので、再び閉じた場合に必ずしもその前の歯合した相互位置関係の状態が維持されるものではない。
【００１７】
このため、上部フレームを閉める際に、上部フレームの歯車と下部フレームの歯車とのかみ合いが、常に円滑になされるとは限らない。すなわち、相互にかみ合うギア同士が互いに干渉し合って、山と山とがぶつかってしまうときには、そのままでは上部フレーム２１ｂを完全に閉めることができない。また、無理やり上部フレームを閉めようとすると、時にギアが破損してしまうことがあり、好ましくない結果を生じる。
【００１８】
一方、この事態を避けようとするとするには、上部フレーム２１ｂを閉める度にギアのかみ合わせに気を配らなければならず、開閉作業が煩雑になるとともに作業性の低下を招く。
【００１９】
本発明は、かかる課題を解決すべくなされたものであり、上部フレームを閉めるときのギア同士の干渉やギアに与える衝撃による歯先の破損を防止するとともに、作業性の低下を防ぐことを目的とする。
【００２０】
【課題を解決するための手段】
請求項１に記載された発明では、開閉可能な上部フレームと下部フレームとを有する本体部の内部に搬送されるシート状壁装材の裏面に糊を塗布する壁紙糊付機において、
前記上部フレームの内部に設けられ、前記下部フレームのほぼ中央部に設けられた糊付けロールとその下流位置に設けられた均しロールとの中間位置で、搬送される壁装材を上部から押える駆動ロールと、
前記上部フレームに設けられ、前記駆動ロールに対して駆動力を伝達する駆動ギアと、
前記下部フレームに設けられ、前記駆動ギアと連結されて駆動力を伝達する他のギアと、
前記上部フレームと下部フレームとを閉じた状態で前記駆動ギアと他のギアとが正常に噛み合う位置に前記駆動ギアを保持すると共に、この正常噛み合い位置から上方の移動を許容するように前記駆動ギアを保持する保持手段と、
前記保持手段に保持された駆動ギアが前記保持手段の可動範囲内で前記正常噛み合い位置に位置するように付勢する付勢手段とを備え、
前記保持手段は、前記上部フレームの側面部に設けられた前記駆動ギアの駆動軸の軸受部から構成されており、
該軸受部は、前記上部フレームの開閉移動方向に長さを有する長穴と、その長穴内を摺動すると共に前記駆動軸を回動可能に保持する支持部材とから構成され、
前記長穴の下端位置に軸受部が位置する状態が前記駆動ギアと他のギアとの正常かみ合い位置となるように夫々の位置関係が定められている壁紙糊付機を提供する。
【００２１】
駆動ギアは、上部フレームに設けられたものであり、駆動ロールに対して駆動力を伝達することができれば、両者の連結方法は特に問わない。したがって、両者を同軸で直結した構造でも、ギア等を介在させた構造でも良い。
【００２２】
また、駆動ギアが駆動力を伝達する他のギアは、下部フレームに設けられたものであり、使用時には前記駆動ギアと噛み合って壁紙糊付機の内部に配置された駆動伝達系に連結されるものであれば足りる。例えば、壁装材を搬送するロールに連結されたギア、壁装材の裏面に糊付けするロールに連結されたギア、壁装材の裏面に付けた糊を均すローラに連結されたギアなどが対象になる。
【００２３】
保持手段は、駆動ギアを保持する一方で、上部フレームの開閉移動方向の上方（閉動作時の移動方向の逆方向）への移動を許容するものであり、例えば、駆動ギアの駆動軸の軸受部で構成しても良い。この場合には、保持手段は移動を許容するものゆえ、この移動方向に長さを有する長穴を軸受部の構成要素としても良い。さらに、長穴内を摺動するとともに駆動軸を回動可能に保持する支持部材をも構成部材とすることで、支持部材で回動可能に保持するとともに、支持部材自体を移動可能としてギアを移動させる構成としても良い。なお、保持手段の可動範囲は、ギアの歯を保護するために、少なくとも駆動ギアのはの長さ分の移動量と同等かそれよりも大きいことが好ましい。
【００２４】
また、この保持手段の可動範囲は、下端の端部分において駆動ギアを保持した場合に、駆動ギアとこれにかみ合う他のギアとが正常にかみ合う状態を維持するものでなければならない。これは、かみ合い状態を維持して的確に駆動力の伝達を行うと共に、ギア同士の不要な摩耗等を防止するためである。
【００２５】
ここにいう駆動ギアと他のギアとが正常にかみ合う位置というのは、壁紙糊付機が正常に作動するのに支障にならない範囲において両ギアが互いにかみ合う位置という意味である。一般的には、夫々の歯車の基準ピッチ円同士が接している状態が最良であるが、少なくとも両ギアが噛み合った状態で円滑に回転可能な場合も含まれる。ただし、ギア同士がかじり合ったり、バックラッシが大きすぎたりして、装置やギアの正常作動に影響が及ぶようなものは除かれる。
【００２６】
付勢手段は、上記の正常かみ合い位置を保持するとともに、閉動作時に衝撃を吸収するためのものであり、保持手段による移動方向に対して可動範囲の下端部の正常かみ合い位置に駆動ギアが位置するように付勢するものであれば、その種類は問わず、ばねやその他の弾性部材であっても良い。
【００２７】
なお、駆動ギアは他の部材に駆動力を伝達するので、その位置は基本的には固定されるべきものである。即ち、あまり小さい力では、駆動ギアが移動して空転してしまうからであり、正常かみ合い位置を維持するためには、かなり大きな力で駆動ギアを付勢しておく必要がある。
【００２８】
このため、この付勢手段による付勢力は、使用時を含む通常時には、外的影響により駆動ギアが移動しない程度に強力なものであり、閉動作時の衝撃を干渉できる程度の力を有する弾性部材により付勢するものであることが好ましい。
【００２９】
そして、駆動ギアは、これらの保持手段により正常かみ合い位置に保持されるとともに、付勢手段によりそこに位置するように付勢されているので、駆動ギアが下部フレームの他のギアと正確に連結され、上部フレームの構成物に駆動力を確実かつ正確に伝達することができる。
【００３０】
さらに、保持手段は、駆動ギアと他のギアとの正常かみ合い位置よりも上方への移動を許容するので、上部フレームを閉じても駆動ギアは、他のギアと干渉することはない。すなわち、上部フレームを閉じる際に、駆動ギアと他のギアとが（例えば山同士が）ぶつかった状態でも、付勢手段によりその衝撃を吸収して、更に駆動ギアを上方にいったん移動させ、ギアの回転等の作用によりギア同士のぶつかりが回避されて、正常かみ合い位置に落ち着くこととなる。
【００３１】
なお、この保持手段における稼働範囲は、正常かみ合い位置から上方であり、下端部が正常かみ合い位置となるものであり、そこから上部への移動方向は、必ずしも垂直上方でなくても良い。すなわち、上部フレームの閉動作時における移動の衝撃を受ける構造であるため、その移動方向に可動できることが考えられる。その移動による衝撃力が吸収できる方向であれば、特に限定されるものではない。
【００３２】
このため、一端移動した後に正常かみ合い状態で下端部に落ち着くことを考慮すれば、垂直方向もしくは移動方向（移動の接戦方向）からやや傾けた方が、ギアの回転等も衝撃吸収に利用できるので好ましい。
【００３３】
次に、請求項２に記載された発明では、請求項１に記載の発明に係る壁紙糊付機おいて、前記駆動ロールと前記駆動ギアとが同じ駆動軸に軸支され、
前記付勢手段は、この軸受部において前記支持部材に直接当接して付勢し、付勢力を変更することができるバネ部材を備えていることを特徴とする。
【００３４】
本発明における保持手段は、駆動軸の軸受部から構成されており、また、この軸受部は、上部フレームの側面板等に設けられた長穴と、個々に嵌り込んで摺動する支持部材とから構成されている。この支持部材は、長穴内を摺動するとともに駆動軸を回動可能に保持するものであるので、駆動ギアの上方への移動がスムーズに行われると同時に、その回動を妨げるものではない。
【００３５】
なお、この発明においては長穴の長さ（支持部材の移動可能な長さ）が、保持手段の可動範囲になるので、少なくとも駆動ギアの歯の長さ程度の移動量は必要になる。
【００３６】
このように、この発明では、駆動ロールと駆動ギアが同じ駆動軸に軸支されており、しかも、付勢手段としてバネ部材を採用しているので、装置自体を簡略化することができる。また、装置の使用時には、駆動ギアと共に駆動ロールも移動しないので、クロスの送り等も円滑に行われる。
【００３７】
請求項３に記載された発明では、前記駆動ギアは、前記糊付けロールと同軸に軸支される糊付けギアと、前記均しロールと同軸に軸支される均しギアとの双方に連結されるものであることを特徴とする。
【００３８】
この発明では、駆動ギアは下部フレームの糊付けギアと均しギアとに連結されるものであり、二つのギアに同時に連結されることから、上部フレームの閉動作時におけるかみ合い不良が発生し易いが、本発明の保持手段と付勢手段により、この衝撃によるかみ合い不良を回避して、確実かつ正確にギア同士の連結が行われる。
【００３９】
【発明の実施の形態】
図１に本発明に係る一つの実施形態を示す。図１は、自動壁紙糊付機における駆動ローラ２６付近を部分的に表したものであり、同図（ａ）は側方から見た図面であり、同図（ｂ）は後方から見た図面であり、図２及び図３の従来例と同じ構成部分には同じ番号を使用している。なお、糊付けされる壁装材（クロス）３３は、図１（ａ）において、左（装置後）から右（装置前）へ搬送される。
【００４０】
上部フレーム２１ａは、下部フレーム２１ｂと支点（ヒンジ）２１ｃを介して接続されており、上部にもちあげることで開閉可能となっている。上部フレーム２１ａには、駆動ローラ２６が設けられており、下部フレーム２１ｂには、駆動ローラ２６の上流側に糊付けローラ２３、下流側に均しローラ２５が設けられている。
【００４１】
それぞれのローラには、ローラを回転させる駆動力を伝達するためのギアが同軸の端部に夫々設けられている。すなわち、駆動ローラ２６には駆動ギア２６ａ、糊付けローラ２３には糊付けギア（図示を省略）、均しローラ２５には均しギア（図示を省略）が夫々のロールと同じ軸に連結されている。なお、このギアとロールとの連結手段は、この実施形態では同軸のものを示しているが、それ以外でも良く、例えばギア等を介在させても良い。
【００４２】
駆動ローラ２６と駆動ギア２６ａとの間には、支持部材としてのスライドブラケット２６ｂが配置されており、両者を連結する駆動軸２６ｃが回動可能に保持されるようにスライドブラケット２６ｂを貫通している。
【００４３】
スライドブラケット２６ｂは、下方にアール部を持った部材であり、斜め後上方にスライドブラケット２６ｂが摺動するような長穴２６ｄに嵌合されて配設されている。また、スライドブラケット２６ｂの側面部は、長穴２６ｄの幅に合わせた直線部で構成されており、スライドブラケット２６ｂ自体は長穴２６ｄに対して回動せず、その長手方向に摺動のみすることができる構成となっている。
【００４４】
また、スライドブラケット２６ｂは、駆動軸方向外側に移動しないように、軸受板２６ｅと互い違いの突起２６ｍが設けられており、さらに、駆動軸方向内側に移動しないように、駆動軸２６ｃのスライドブラケット側に段付け２６ｎが設けられている。このため、スライドブラケット２６ｂが軸方向に移動することはない。
【００４５】
長穴２６ｄは、上部フレーム２１ａの側面板である軸受板２６ｅに設けられており、ギア等が外部に直接表れないようにするために、その外部には外部カバー部材（図示せず）が装着される。なお、駆動軸の支持部材としてのスライドブラケット２６ｂおよび長穴２６ｄは、本発明の駆動軸の軸受部並びに保持手段を構成する。
【００４６】
長穴２６ｄの下端部は、スライドブラケット２６ｂの下端部と対向するように同様なアールをもった形状で構成されており、スライドブラケット２６ｂが長穴２６ｄの下端部に位置するときに、これらを安定かつ確実に保持する構成となっている。
【００４７】
この長穴２６ｄの下端位置にスライドブラケット２６ｂが位置する状態が、駆動ギア２６ａと他のギアとの正常かみ合い位置となるように、夫々の位置関係が定められている。すなわち、上部フレーム２１ａと下部フレーム２１ｂとを閉じた状態で、上部フレームの駆動ギア２６ａと下部フレームの糊付けギアおよび均しギアとが正常にかみ合う位置に駆動ギア２６ａを保持するように、駆動ギアの軸の位置が定められている。
【００４８】
したがって、この状態で装置を作動させれば、駆動ギア２６ａは、糊付けギア等から駆動力の伝達が正確かつ確実になされる。なお、正常かみ合い位置は、かみ合うギア同士がかじったりバックラッシが大きくなったりしない位置関係、すなわち装置の作動に影響を与えない範囲での位置関係を意味するものである。
【００４９】
長穴の向き（駆動ギアの移動許容方向）は、具体的には、正常かみ合い位置を加減として、そこから上方（又は、上部フレームの開閉移動方向に向かう上方）であり、長手方向の長さは、正常かみ合い位置から、少なくとも相互のギアの歯のかみ合い深さ程度の移動を許容するものであれば良い。
【００５０】
次に、この実施形態では、付勢手段としてバネ２６ｋ等が設けられている。この付勢手段は、軸受板２６ｅの長穴２６ｄの上側に、外側に突出したフランジ２６ｆを設け、このフランジ２６ｆとには、スライドブラケット２６ｂとの間に圧縮バネ２６ｋを設けることで、スライドブラケット２６ｂを長穴２６ｄの下端（正常かみ合い位置）に常に付勢する構成としている。
【００５１】
より具体的には、フランジ２６ｆにはナット２６ｇが固定され、中間に突起部２６ｈを持ったおねじ２６ｊと螺合しており、おねじ２６ｊを回動させることにより、突起部２６ｈの位置が相対的に上下する構成となっている。圧縮バネ２６ｋは、おねじ２６ｊの下方から挿入されており、その先端が突起部２６ｈに係合してスライドブラケット２６ｂを下方に付勢している。
【００５２】
したがって、おねじ２６ｊを回動させることにより、バネ２６ｋの付勢力を変更することができるため、例えば、ばね力が強過ぎて上部フレーム２１ａを閉めたときに反動が大きいようであれば、それを弱く調整すれば良い。しかし、駆動ギア２６ａは糊付けギア等に駆動力を伝達するものであることから、付勢力をかなり大きなものにする必要があるので、その調整範囲は、最も弱くしても通常の使用時には、駆動ギア（駆動軸及び駆動ロールも）が移動しない程度のものに構成されている。
【００５３】
【発明の効果】
請求項１に記載された発明によれば、上部フレームを閉めたときに、上部フレームに設けられた駆動ギアと下部フレームに設けられた他のギアとが干渉して歯先がぶつかっても、駆動ギアは上方へいったん移動するので、各ギアに与える衝撃を緩和することができ、歯先の破損を防止することができる。また、作業者は、ギアの干渉に気を配る必要がなくなるので、作業性が向上する。
【００５４】
請求項２に記載された発明によれば、簡易な構造で、上述の効果を得ることができる。
【００５５】
請求項３に記載された発明によれば、糊付けギアと均しギアの歯先の破損をも防止することができる。
【図面の簡単な説明】
【図１】本発明の一実施形態に係る壁紙糊付機の駆動ギアの近傍を拡大して表した説明図であり、（ａ）は側方から見た図面であり、（ｂ）は後方から見た図面である。
【図２】従来の壁紙糊付機全体を後面側から表した説明図である。
【図３】従来の壁紙糊付機全体を側方から表した説明図である。
【符号の説明】
２１ａ・・・・・・上部フレーム
２１ｂ・・・・・・下部フレーム
２１ｃ・・・・・・支点
２３・・・・・・・糊付けローラ
２５・・・・・・・均しローラ
２６・・・・・・・駆動ローラ
２６ａ・・・・・・駆動ギア
２６ｂ・・・・・・スライドブラケット
２６ｃ・・・・・・駆動軸
２６ｄ・・・・・・長穴
２６ｅ・・・・・・軸受板
２６ｆ・・・・・・フランジ
２６ｇ・・・・・・ナット
２６ｈ・・・・・・突起部
２６ｊ・・・・・・おねじ
２６ｋ・・・・・・バネ
２６ｍ・・・・・・突起
２６ｎ・・・・・・段付け
【図１】
0003836536.tif 000002
【図２】
0003836536.tif 000003
【図３】
0003836536.tif 000004